(57)【要約】  スノーボード、スキー、スケートボード若しくはサーフボード等のスポーツに使用されるボードにブーツを結合する自律電磁制御システムである。該スポーツの安全な実施のために、運動者の衣服及びブーツ並びにボードに配置される。該システムは充電式バッテリ、電気式又は太陽電池式充電器、電源スイッチ、各ブーツに設けた電磁吸引体要素又は電磁石、ブーツが配置固定されるボードに収容された強磁性体のスラブ、シート又は粒子、所望により電磁波又は赤外線を使用する指令の送／受信用システムを備え、上記スイッチの制御に使用され、音声認識デバイスを備えてもよい。かくして、スーツ／ブーツ及びボードを備える任意選択のシステム構成を備えた運動者は、表面を安全に最適な制御と共に滑走できる。本システムでは、使用者は自身からボードを迅速に都合よく遠隔式にかつ自律式に、使用者の制御によらない自動ボード解放システムを要することなく脱着できる。
2007530112.tif 000002
【特許請求の範囲】
【請求項１】
スノーボード、スキーまたは同様のもののブーツ・ビンディング用の自律電磁制御システムであって、
充電式バッテリ、電気式充電器、および電気スイッチを備え、これらのそれぞれが、スポーツをする人の衣服、ヘルメット、バックパック、ベルト、ウエスト・ポーチ、手袋、ブーツから選択された任意の点、およびそれらのうちのいくつか、さらには、ボードそれ自体に配置できるものであって、
さらに、前記ブーツに配置された電磁石または電磁式グリッパ（ｇｒｉｐｐｅｒ）と、
前記電磁石または電磁式グリッパを作動し、作動解除するために前記スイッチを開き、閉じるための指令の送信手段であって、電気ケーブル、電磁波、または赤外線であってよい指令の送信手段と、
その上側が完全に強磁性体で覆われた１つまたは複数のボードとから本質的に構成され、
前述の１つまたは複数のボードへの前記ブーツの締結が、前記強磁性体を備えた前記１つまたは複数のボードの上面に前記電磁石または電磁式グリッパを接合する電磁力によって実行され、その全てが、１つまたは複数の前記ボードをスポーツをする人の意思にかかわらず解放させる自動システムの存在なしに、前記ボードから前記ブーツを迅速に、快適に、遠隔式に、かつ自律式に分離する可能性を促進するものである、自律電磁制御システム。
【請求項２】
スポーツをする人の衣服のベルト、ヘルメット、またはバックパックに配置できる充電式バッテリと、
それらの全てがベルト（１）に配置された、前記充電式バッテリの電気式または太陽電池式の充電器（２）、手動スイッチ（２３）、およびコネクタ（３）と、
それらのそれぞれのコネクタ（３）、２つのコネクタ（４）、およびズボンの布地に組み込まれ、各第１の接続要素を前記ズボン（７）に配置された前記コネクタ（４）のうちの１つに接合する２つの導体ケーブル（１５）に適合する第１の接続要素と、
それらのそれぞれのコネクタ（４）、各ブーツ（５）のケーブル（２０）および電磁石（６）に適合し、前記ケーブル（２０）が前記第２の接続デバイスと前記電磁石（６）の間の接合部として働く第２の接続デバイス（４ｂ）と、
その上側が完全に強磁性体（１６）で覆われたスノーボード（２２）とを備え、前記ボード（２２）への前記ブーツ（５）の締結が電磁力によって行われ、その作動／作動解除がベルト（１）に配置された手動スイッチ（２３）によって手動で制御される、請求項１に記載のスノーボードのブーツ・ビンディング用の自律電磁制御システム。
【請求項３】
音声認識装置（１４）および指令送信機（１３）と、
充電式バッテリ（９）、チャージャ・バルブ・セット（１０）、受信機スイッチ（１１）、電磁石（６）、受信機スイッチ（１１）と充電式バッテリ（９）のユニオンのコネクタ（２１）、電磁石（６）と受信機スイッチ（１１）との接合コネクタ（２１ｂ）、および前述の電磁石（６）の間のユニオン接続部と、
その上側が完全に強磁性体（１６）で覆われたスノーボード（２２）とを備え、
前記ボード（２２）への前記ブーツ（５）の結合が電磁力によって行われ、その作動／作動解除が、前記音声認識装置（１４）によって検出された音声での指令によって制御され、命令（１３）の送信によって生成され、送信され、各ブーツ（５）の受信機スイッチ（１１）によって受信され、デコード化され、実行される、請求項１に記載のスノーボードのブーツ用自律電磁制御システム。
【請求項４】
スポーツをする人の手袋に組み込まれたスイッチ送信機（１２）をさらに備え、
前記ブーツ（５’）の前記ボード（２２）への締結が電磁力によって行われ、その作動／作動解除がさらに、手袋の前記スイッチ送信機（１２）によって生成され、送信された指令によって制御され、各ブーツ（５’）の前記受信機スイッチ（１１）によって受信され、デコードされ、実行される、請求項３に記載のスノーボードのブーツ・ビンディング用の自律電磁制御システム。
【請求項５】
前記電磁石が電磁式グリッパで置き換えられ、前記ボード（２２）への前記ブーツ（５）の結合が磁力によって行われ、その作動解除／作動が前記ベルト（１）に配置された前記手動スイッチ（２３）によって手動で制御される、請求項２に記載のスノーボードのブーツ・ビンディング用の自律電磁制御システム。
【請求項６】
前記電磁石が電磁式グリッパで置き換えられ、前記ボード（２２）への前記ブーツ（５’）の締結が磁気エネルギーによって行われ、その作動解除／作動が前記音声認識装置（１４）によって検出された音声での指令によって制御され、前記指令送信機（１３）によって生成され、送信され、各ブーツ（５’）に前記受信機スイッチ（１１）によって受信され、デコードされ、実行される、請求項３に記載のスノーボードのブーツ・ビンディング用の自律電磁制御システム。
【請求項７】
前記電磁石が電磁式グリッパで置き換えられ、前記ボード（２２）への前記ブーツ（５’）の結合が磁力手段によって行われ、その作動解除／作動が、手袋の前記スイッチ送信機（１２）によって生成され送信された指令によってさらに制御され、各ブーツ（５’）の前記受信機スイッチ（１１）によって受信され、デコード化され、実行される、請求項４に記載のスノーボードのブーツ・ビンディング用の自律電磁制御システム。
【請求項８】
スポーツをする人のベルト、ヘルメット、またはバックパックに配置できる充電式バッテリと、
それら全てが前記ベルト（１）に配置された、前述の充電式バッテリの電気式または太陽電池式の充電器（２）、手動スイッチ（２３）、およびいくつかのコネクタ（３）と、
前記それぞれのコネクタ（３）、２つのコネクタ（４）、および前記ズボンの布地に組み込まれ、前記ズボン（７）に配置された前記コネクタ（４）のうちの１つに前記各主要接続デバイスを接合する２つの導体ケーブル（１５）に装着できるいくつかの主要接続デバイスと、
前記それぞれのコネクタ（４）、ケーブル（２０）、および各ブーツ（５）の電磁石（６）に装着可能であり、前記ケーブルが前述の第２の接続要素と前記電磁石（６）の間で接合ケーブル（２０）として働くいくつかの第２の接続デバイス（４ｂ）と、
それらのうちの各１つが上側を完全に強磁性体（２６）で覆われた２つのスキー（２５）とを備え、
前記スキー（２５）への前記ブーツ（５）の締結が電磁力によって行われ、その作動／作動解除が前記ベルト（１）に配置された手動スイッチ（２３）によって手動で制御される、請求項１に記載のスキーのブーツ・ビンディング用の自律電磁制御システム。
【請求項９】
音声認識装置（１４）および指令送信装置（１３）と、
いくつかの充電式バッテリ（９）、バルブ・チャージャ・セット（１０）、受信機スイッチ（１１）、電磁石（６）、前記バルブ・チャージャ（１０）への前記充電式バッテリ（９）の接合コネクション（２１）、前記充電式バッテリ（９）と前記受信機スイッチ（１１）の接合コネクション（２１ａ）、前記電磁石（６）への前記受信機スイッチ（１１）の接合コネクション（２１ｂ）および前記電磁石（６）の間の接合コネクションと、
２つのスキー（２５）であって、それぞれの上側が完全に強磁性体（２６）で覆われたものを備え、前記スキー（２５）への前記ブーツ（５’）の結合が電磁力によって行われ、その作動／作動解除が前記音声認識装置（１４）によって検出される音声での指令によって制御され、前記指令送信装置（１３）によって生成され、送信され、各ブーツ（５’）の前記受信機スイッチ（１１）によって受信され、デコードされ、実行される請求項１に記載のスキーのブーツ・ビンディング用の自律電磁制御システム。
【請求項１０】
スポーツをする人の手袋に組み込まれたいくつかのスイッチ送信機（１２）も同時に備え、前述のスキー（２５）への前記ブーツ（５’）の結合が、電磁力によって行われ、その作動／作動解除が生成された指令によって制御され、手袋の前記スイッチ送信機（１２）を介して送信され、各ブーツ（５’）の前記受信機スイッチ（１１）によって受信され、デコード化され、実行される、請求項９に記載のスキーのブーツ・ビンディング用の自律電磁制御システム。
【請求項１１】
前記電磁石が電磁式グリッパで置き換えられ、前述のスキー（２５）への前記ブーツ（５）の締結が磁力によって行われ、その作動解除／解除が前記ベルト（１）に配置された前記手動スイッチ（２３）によって手動で制御される、請求項８に記載のスキーのブーツ・ビンディング用の自律電磁制御システム。
【請求項１２】
前記電磁石が電磁吸引体で置き換えられ、前述のスキー（２５）への前記ブーツ（５’）の締結が磁力によって生成され、その作動／作動解除が前記音声認識装置（１４）によって検出される音声での指令によって制御され、前記指令送信機（１３）によって生成され、送信され、各ブーツ（５’）の前記受信機スイッチ（１１）によって受信され、デコードされ、実行される、請求項９に記載のスキーのブーツ・ビンディング用の自律電磁制御システム。
【請求項１３】
前記電磁石が電磁式グリッパで置き換えられ、前述のスキー（２５）への前記ブーツ（５’）の締結が磁力手段によって生成され、その作動解除／作動が手袋の前記スイッチ送信機（１２）によって生成され送信された指令によって制御され、各ブーツ（５’）の前記受信機スイッチ（１１）によって受信され、デコードされ、実行される、請求項１０に記載のスキーのブーツ・ビンディング用の自律電磁制御システム。
【発明の詳細な説明】
【技術分野】
【０００１】
本発明は、スノーボード、スキー、または、一般的には、スケートボードおよびサーフボードなどのスポーツに使用されるボードにブーツを結合する自律電磁制御システムに関する。本発明のシステムは、前記のスポーツが安全に実施できるようにするために、スポーツをする人の衣服およびブーツ、ならびにボードに配置される。このシステムは、ブーツと、スノーボードまたはスキーとの間の磁気的なリンクに基づき、そのリンクは、スポーツをする人によって自在に、電気ケーブル送信により手動で、または音声認識デバイスおよび送受信システム（ｅｍｉｓｓｉｏｎ−ｒｅｃｅｐｔｉｏｎ  ｓｙｓｔｅｍ）による音声コマンドによる、もしくは赤外線伝送および送受信システム（ｅｍｉｓｓｉｏｎ−ｒｅｃｅｐｔｏｒ  ｓｙｓｔｅｍ）による電磁波を使用して、自身のいくつかの電気的なスイッチに対する行為によって脱着できる。
【背景技術】
【０００２】
簡潔に述べると、現在、固定または締結システムには下記のものがある。
スキーのビンディングのタイプ
ａ）テレマーク・ビンディング。このタイプの固定では、踵端部を完全に自由にしたままブーツの前端部のみが固定される。これによって、スキーヤーが下り坂を進むのがより容易になる。
ｂ）クロスカントリー・ビンディング（ノルディック・スキー）：テレマーク・ビンディングと同様のもの。この固定では、使用者が大きなストライド（ｓｔｒｉｄｅ）を行い、２つの長いポールの助けにより平坦な土地の上を容易に前進できるようにブーツの踵部のみが自由にされている。
ｃ）アルペン・スキー・ビンディング：この固定は、踵部および前端の２つのデバイスから構成される。ビンディングに加えられた力がスキーヤーの重量および能力レベルに関連する所定の限界に達すると、ブーツは、いくつかのスプリングによってビンディングから脱着する。前端は主に、その上に加えられる横方向の力または垂直の力によって解放され、踵の端部は主に垂直の力によって脱着される。
ｄ）スキー・マウンテン・ビンディング：前の２つの技術のデバイスを結びつけたもの。
上に登るために、スキーヤーは、スキーのヒール部分に付けた、ある種のシール・スキンにより、また踵部の自由なインパクト（ｆｒｅｅ  ｈｅｅｌ  ｉｍｐａｃｔ）によって補助され、他方で、滑降するときは、ヒール・デバイスを配置し、より基本的な固定を用いたものではあるがアルペン・スキー・タイプと同様にスキンなしで摺動する。
ｅ）スノーブレード・ビンディング：これは、スキーの長さが５０から１００ｃｍの間の小さいものであり、ブーツがクリップ・システム（ｃｌｉｐ  ｓｙｓｔｅｍ）によって据え付けられるスキー部門において用いられる。このタイプの据付けは最初に、手動での解放のみが可能な固定または据付けシステムとして、ハードブーツのスノーボード・ビンディング用に開発された。大きな事故の場合、そのビンディングは外れ、スキーヤーが雪または氷とのグリップを失うことから、利点というよりも、不都合な点となる。
【０００３】
現在までのスキー市場において開発された技術の全ては基本的に、技術または熟練を欠くためによる速度の増加、跳躍、衝突またはその他の事態によって起こりうる振動および曲げに対して、ブーツ／ビンディング・システムをより敏感にすることに的を絞っている。さらに、２本のスキーがあり、またその長さ（２メートル以上）によって、特に初心者の場合に起こる事故に伴って、しばしば、その両方のもつれ合いが誘発される、という別の問題がある。ここ数年間では、この領域での特許は、スキーが交差して絡まる（ｇｅｔｔｉｎｇ  ｃｒｏｓｓ−ｂｒａｃｅｄ）、跳躍する、または過度に振動することの最小限の兆候の時点で、ビンディングがブーツから解放されるような形で、損傷を起こす前述した力または不都合が発生する以前での対策に寄与することに的が絞られている。センサを通じてこれらの兆候を検出することにより、ビンディングの自動開放を可能にしている。このシステムはまだ市販されていない。
【０００４】
カービングの時代と呼ばれる最近のスキーの進化も考慮される必要があり、このタイプのスキーにおいてスキーの長さは４０ｃｍまで大きく縮小され、また同時に幅が増加し、それは究極には、ターンを行うのにポールを使用する必要がないところまで、スキーヤーにより大きな安定性をもたらしている。
【０００５】
ここ数年間で増加している熟達した数多くのスキーヤーは、自身の意思に反してビンディングが解放されることを望まない。というのは、それによって、自身のスキーを失くし、把持システムも失くすことになる恐れのある特に険しい斜面において完全な自由を享受できなくなるからである。こうした全てのことは、従来のビンディング・システムが必然的に減少する傾向にあることを意味する。したがって、スキーの理論にしたがえば、険しい斜面での危険な状況で、自身のスキーがスキーヤーから外れないことを望まれるのである。
【０００６】
スノーボードのビンディングのタイプ
ａ）ハードブーツ・ビンディンク
アルペン・スキーヤー・タイプのハード・プラスチック・ブーツから構成される、スノーボードでの滑走のためのビンディング・システム。スノーボードにブーツを据え付けるのにペグが使用され、したがって、手動でのみ解放できる。このビンディングは、金属の半円弧形から構成され、この半円弧形が挿入される隙間または割れ目を利用してブーツの踵部に据え付けられる。前端のプレスオン・シャッティング（ｐｒｅｓｓ−ｏｎ  ｓｈｕｔｔｉｎｇ）・システムがトーキャップをボードに据え付ける。このシステムの進化は、ブーツをボードの上に据え付ける、新しい様式に基づいている。ブーツのつま先端（ｔｏｅ  ｅｎｄ）をビンディングの前面に押し込むと同時に、ブーツの後端を押し付けたり、あるいは逆に行うことにより、ブーツのつま先端を同時に下へ押し込み、手操作の必要なく据え付けを行って使用される。この場合、解放のみが手操作である。アルペン・スノーボードと呼ばれるこのシステムは、現在は極まれにしか使用されていない。
ｂ）ソフト・ブーツ・ビンディング：これは最も一般的なシステムであって、（レスティング・スノー・ブーツ（ｒｅｓｔｉｎｇ  ｓｎｏｗ  ｂｏｏｔ）・タイプの）ゴムおよび布のブーツ、およびナイロンおよび炭素繊維の混合物から作られた２つのスリップ・ジャケット（ｓｌｉｐ  ｊａｃｋｅｔ）から構成されるいくつかのビンディングから作られている。スリップ・ジャケットの一方は、前端（つま先領域）用であり、他方は、踵部を締結するインステップ部にあり、後者は、ふくらはぎの後部の力に耐える後方の道具を有する。把持および解放は、いくつかの窪んだ段差、およびいくつかのラトリング・タイプのパン（ｒａｔｔｌｉｎｇ  ｔｙｐｅ  ｐａｎｓ）を使用する手操作である。「ステップ・イン」と呼ばれる、この前記システムの進化は、解放が依然として手操作でありながら自動的な把持を容易にした。このシステムは、ボードにねじ込まれた金属製のビンディングおよびブーツから作られ、そのブーツの靴底にはいくつかの金属製の構成要素が組み込まれており、それにより、靴からビンディングを介してボードに圧力が加えられた場合、両方が圧力によってそこに据え付けられ、または締結されるようにしている。ビンディングからブーツを解放するために、ペグを手操作で動かすことが必要である。場合によっては、ブーツは金属製のデバイスを備えないが、靴底の側方の材料に窪みを備え、ボードにあるビンディグからこれらの窪みの中にトリガ（ｔｒｉｇｇｅｒ）が入ることができるようにしている。この「ステップ・イン」システムは、それが手操作以外では解放できない様式での締結機構以外の技術は全く使用してない。この技術の新しい貢献は、自動把持プロセスのみである。
【０００７】
ボードの上のビンディング・デバイスの締結手段および耐性テストに関して、以下の点を記載する。
１．過去において、ビンディングは、ボードの中央に挿入された硬質のアルミニウムの板を利用してボードに締結されたねじによって固定された。
２．以前のシステムが安全性に欠けていたため、雌型インサートが考案され、ボードに配置され、それによって、６個の雄ねじがこれらのインサートにねじ込みが可能になり、それが結果的に業界の標準になった。およそ１０年の間、ボードにこれらのインサートを配分し、配置することに特許が集中してきた。それは、ボードのこの形式のビンディングまたはある種のインサートの排他的な使用をいくつかの製造業者によって独占するためのシステムであった。
３．最近、耐性テストにより、これらのインサートの１つがボードから脱着するまで耐えられる強度が決定されている。１つのビンディングを固定するために３〜４個のインサートを使用するので、ユーザがインサートの分離またはビンディングの破損によってボードからビンディングを分離することは事実上不可能である。スノーボードは、スキーの起源とはそれ自体全く異なる起源を持ち、その安全システムも同じく異なるスポーツであることが指摘されるべきである。ブーツがビンディングまたはボードから自動的に脱着しないことは、スキーよりもむしろスノーボードにおいて望まれている。原則的に、ブーツは、（手動制御または遠隔制御によって）ボードから任意でのみ脱着されるべきである。そうでなければ、滑りやすい表面を把持する点が何も無い場合、練習する者は防護のないままに放置される。同様に、またはむしろそれ以上に重要なことは、その他の練習者は、滑降コースまたは斜面を滑降する操作不能のスノーボードによって起こる事故の危険にさらされる。
【０００８】
今日まで、こうした全てのビンディンク・システムは、それが実際のモデルであれ、または従来の特許であれ、ボーダーまたはスキーヤーが滑走中に常に使用する所定の角度で、ビンディングのベースを手作業でボードにねじ込むことに基づくものであった。この角度を変えるために、使用者は立ち止まり、ブーツをボードから取り外し、工具の助けによりビンディングを回す必要があった。
【特許文献１】米国特許第６，００７，０８６号明細書
【特許文献２】米国特許第５，８２０，１５５号明細書
【特許文献３】特開平10-314365号公報
【特許文献４】米国特許第６，２２４，０８６号明細書
【発明の開示】
【発明が解決しようとする課題】
【０００９】
これまで、磁力または電気機械を使用する多様なビンディング・システムが特許の目的となってきた。Ｅｌｅｃｔｒｉｃ  Ｓｋｉ  Ｂｉｎｄｉｎｇ  Ｓｙｓｔｅｍという名称の１９９９年１２月２８日のＨｏｐｋｉｎｓの米国特許第６，００７，０８６号は、つま先端の後方部分およびブーツの踵部に配置された永久磁石と、スキー・ビンディングの「アンカー地点（“ａｎｃｈｏｒ”  ｓｐｏｔｓ）」または点に配置された幾つかの電磁石を備える他極の磁石とを用い、該電磁石により、永久磁石によって形成された磁界を打ち消して、締結または把持を解除するようにした、スキー用のブーツ締結システムを記載している。このシステムは、システム内の力および圧力の急速な変化を検出し、そのロック解除を指令する、ビンディングに沿って配置されたマイクロプロセッサおよびセンサから構成されるアクティブ・セーフティ・システム（ａｃｔｉｖｅ  ｓａｆｅｔｙ  ｓｙｓｔｅｍ）を備える。ここでの主な不都合は、前述したように、このシステムがスノーボード用に推奨できないことであり、鋭く曲がる実際のカービング・タイプのスキー用にも推奨できない。上記したように、このシステムはビンディングを必要とする。
【００１０】
１９９８年１０月１３日のＢｒｉｓｃｏの米国特許第５，８２０，１５５号は、第２の解放要素として働く送受信ＲＦの組み合わせを介して動作される電気機械式のクイックリリース機構を組み込んだ、スノーボードの締結機構を記載している。締結が機械式であり、解放が機械式および電気機械式であるとして、主な欠点は、機能不全の場合、動作中の遠隔操作によるクイックリリースが作動しないことである。
【００１１】
１９９８年１２月２日に刊行された日立金属株式会社の平成９年特許願第１３３２０７号は、永久磁石によってブーツとボードの間を締結するスノーボードの磁石デバイスを記載している。解放システムが手操作で行われる機械的な力によってのみシステムのロック解除を可能にし、したがって別の機構に依存するので、主な欠点は前段で述べたものと同様である。
【００１２】
Ａｐｐａｒａｔｕｓ  ｆｏｒ  Ｇｌｉｄｉｎｇ  ｏｖｅｒ  Ｓｎｏｗという名称の２００１年５月１日のＧｏｌｌｉｎｇの米国特許第６，２２４，０８６号は、スノーボード上にスキー・ブーツまたはスノー・ブーツを据え付けるのに磁力のみが使用されるシステムを記載している。ここでもまた主な問題は、前段で引用した特許においてのものと同様に、このリリースシステムでは、手操作の機械的な力（レバー）によってしかシステムのロック解除ができないことである。
【課題を解決するための手段】
【００１３】
上述された不都合は、以前の技術の代表的な特許よりも優れた以下の利点を示す添付の特許請求の範囲に記載されたもののような締結システムによって回避される。
−機械的な締結および解放を排除し、それにより快適性および迅速性が増加する。
−遠隔および自律制御による（使用者によって望まれるときはいつでも）即座の固定または把持、および解放を可能にして、このスポーツを行う場合のいかなる危険な自動操作をも回避する。
−スノーボードにおいては、ボード上のブーツの角度および間隔は、足の動作および電気スイッチによって休息中または動作中に変更することができる。
−スキーにおいては、ブーツの前方および後方の固定に応じてターンの足跡の幾何学的形状を変えることを可能であり、また、同じ組のスキーの使用が可能になる。
−同様に、スノーボードに関しては、その「親類の」ボード・スポーツ（サーフボードおよびスケートボード）に匹敵する滑りの感覚を可能にする。
−差し迫った危険がある場合にボードまたはスキーを脱着させる可能性を備えながら、最適で安全な制御を伴った雪面上での滑りを可能にする。
−ボードまたはスキーの瞬間的な遠隔式の解放を必要とする「ハーフパイプまたはフリースタイル」部門でのアクロバットの実施を可能にする。
【００１４】
スノーボードとスキー・ブーツを締結または結付ける本自律電磁制御システムは、電気式または太陽電池式の充電器（ブーツ内に一体化されたバルブ・チャージャ（ｖａｌｖｅ−ｃｈａｒｇｅｒ）・タイプまたはそれと同様のものであってもよい）を備えたいくつかの充電式バッテリと、いくつかの電気スイッチと、各ブーツ内に配置されるいくつかの電磁石または電磁吸引体要素と、ボードに収容された強磁性体からなるいくつかのシートまたはスラブ（ｓｌａｂ）、ローラまたは粒子とを備え、該ボード上には使用者のブーツが配置され固定され、スイッチの開閉命令の送／受信は電気ケーブルを介して行われ、所望により、スイッチの制御は電磁波または赤外線を使用する指令の送受信システムを介して行われ、該スイッチは音声認識デバイスを備えてもよい。
【００１５】
以下はその基本性能である。すなわち、バッテリは、電流または太陽光エネルギー（太陽光発電パネル）によって充電される。各ブーツのスイッチは、対応する各ブーツの電磁石を作動または作動解除し、それらを充電式バッテリに接続し、または切り離す。これらのスイッチは、手動式で、もしくは、たとえば手袋内に配置された送信機を備える赤外線の送受信システムを介して送信される指令により、使用者によって直接に、またはスポーツをする人の音声での指令を認識し、解釈する音声認識システムによって、充電式バッテリからブーツに配置された電磁石への電流を開きもしくは閉じることによって動作するレセプタによって受信されるコード化された指令を発する送信機に、命令または指令を送信して間接的に作動される。全てのこうしたデバイスは、必要であればいつでも、対応するケーブルおよびコネクタを介してそれらの間を接続され、スポーツをする人によって使用される衣服およびアクセサリの異なる部分に配置される。そうした部分は、制限されることなく、ヘルメット、スーツ、バックパック、ベルト、ウエスト・ポーチ（ｆａｎｎｙ  ｐａｃｋ）、手袋、ブーツ、およびそれらのいくつかに対して、また、ボードそれ自体とすることができる。
【００１６】
電磁石の代わりに電磁吸引体が使用される場合、据付けは永久磁石によって行われ、その磁力は、解放をもたらす、前述の任意の手段によってスイッチが入れられると、磁石の磁界と反対の磁界を形成する吸引の電気的な作動により相殺することができる。
【００１７】
このシステムは、表面に組み込まれた強磁性体のシートまたはスラブを有する１つまたは複数の特別なボードを備え、該表面には、各ブーツの電磁石によって形成された磁界が作用し、そのようにして１つまたは複数のボードが前記ブーツから脱着しないように、十分な吸着強度を生み出す。
【発明を実施するための最良の形態】
【００１８】
以下の説明を完全にするために、および本発明の特徴をより良く理解するのを助ける目的で、いくつかの図が添付した。該図によれば、本革新技術および利点がはるかに容易に理解される。
【００１９】
スノーボードまたはスキーのブーツ・ビンディング用の自律電磁制御システムの３つの可能で好ましい実施形態を下記に説明する。それらの全てに関して等しく共通な要素は、スノーボード（またはスキー）であり、それは、この節の終わりに１度論じられるが、全ての好ましい実施形態の不可欠な部分であると理解されるものである。
【００２０】
第１の好ましい実施形態を、図１および図１Ａに示す。図１Ａは、アパートップ（ｕｐｐｅｒ  ｔｏｐ）（８）、ズボン（７）、ベルト（１）、およびブーツ（５）を備えるスーツを着衣したスポーツをする人を示す。ベルトまたはウエスト・ポーチ（１）に、電気式充電器もしくは太陽電池（２）式バッテリ、手動スイッチ（２３）、およびコネクタ（３）を備える充電式バッテリが配置される。ズボン（７）には、ベルトのコネクタ（３）、コネクタ（４）、および導体ケーブル（１５）が取り付けられており、該ケーブルは、ズボンの布地に組み込まれており、前記接続デバイスをコネクタ（４）に接合している。各ブーツ（５）には、ズボンのコネクタ（４）に装着されるブーツの接続デバイス（４ｂ）、前述したブーツの接続デバイスに接合される接合ケーブル（２０）、およびケーブル（２０）に並列に接続された電磁石もしくは電磁吸引体（６）が配置されている。必然的に、コネクタ（３）および（４）、ならびにそれらに装着される接続要素は、必要なだけの数（通常は２個）の端子を有する、雄のタイプ、およびその他の雌のタイプのものであり、そのような様式でベルト（１）〜ズボン（７）とズボン（７）〜ブーツ（５）の間の電気接続を可能にする。
【００２１】
したがって、結合または締結を制御するシステムに２つの独立な回路が存在し、各回路が対応するブーツの結合を個別に制御する。電磁石を使用する場合、対応するスイッチ（２３）を手動で開き又は閉じればよく、ブーツ（５）がスノーボード（２２）またはスキー（２６）の表面に配置されていれば、該表面に対して解放または固定されるので、その働きは単純である。電磁吸引体を使用する場合、働きは逆になり、スイッチを閉じると解放され、スイッチを開くと結合または締結される。
【００２２】
図１Ａは、ブーツ（５）をより詳細に示すものであり、その中に組み込まれたシステムの要素が確認できる。
【００２３】
第２の好ましい実施形態を図２および２−Ａに示す。図２は、トップ・パート（８）、ズボン（７）、およびブーツ（５’）を備えるスーツを着衣したスポーツをする人を示す。トップ・ボディ（８）は、音声認識デバイス（１４）、およびコマンド送信機（１３）を備える。音声認識デバイスは、スポーツをする人のネックまたはヘルメットに配置されたサポートに取り付けることもできる。図２Ａを参照すると、各ブーツは、ブーツ本体に組み込まれた充電式バッテリ（９）と、バルブ・チャージャ・セット（１０）と、バルブ・チャージャ（１０）と充電式バッテリ（９）との接合コネクション（２１）と、受信機スイッチ（１１）と、電磁石または電磁吸引体（６）と、受信機スイッチ（１１）と充電式バッテリとのいくつかの接合コネクション（２１ａ）と、受信機スイッチ・ユニオン（１１）と電磁石または電磁吸引体（６）とのコネクション（２１ｂ）とを備え、電磁石または電磁吸引体（６）は、その地面との接触部においてブーツの下部に組み込まれている。
【００２４】
したがって、結合のための制御システムに２つの独立な回路が存在し、各回路が対応するブーツの締結を個別に制御するが、第１の好ましい実施形態とは異なり、その作動または作動解除が、異なる音声の指令によって行われ、そのいくつかは作動のための指令であり、その他は作動解除のための指令であり、左のブーツおよび右のブーツに対しても異なり、したがって、各ブーツの受信機は、音声認識装置（１４）および音声指令送信機（１３）によって形成される制御デバイスにより異なってプログラムされる。その働きは、必要なパスワードを言えば十分であるので簡潔であり、第１にそのパスワードの認識によって、第２に使用者がそれを述べることによって、関係する動作が開始される。その結果、送信機（１３）がコード化された指令を送信し、その指令はブーツの受信機（１１）によって受信されるとデコードされそのように実行され、ブーツ（５）がスノーボード（２２）またはスキー（２６）の表面の上部に配置されていれば、それらは当該ボードまたはスキーと解放または結合される。
【００２５】
第３の好ましい実施形態は、それがスポーツをする人の手袋（２４）に組み込まれたいくつかのスイッチ送信機（１２）によって補助されることを除いて、第２の実施形態と同様である。
【００２６】
ブーツの受信機スイッチ（１１）は、音声によって作動／作動解除され、前記スイッチ送信機（１２）によっても作動／作動解除され、前記スイッチ送信機（１２）によって生成された命令は、音声での指令よりも優先性のあるものであり、それはこの装置により大きな信頼性および安全性を与える。この第３の好ましい実施形態の働きに関して、音声認識装置は前述した第２の好ましい実施形態と同様なものであるが、さらに特に述べておかなければならないのは、手袋に組み込まれた装置は、手袋（２４）のスイッチ送信機（１２）のそれぞれのボタンの同じ側にある対応するブーツのスイッチ受信機（１１）を作動／作動解除することである。
【００２７】
しかし、これらのスポーツの非専門家用に、各ブーツが独立に制御可能であるという前の段落で説明されたオプションは、スイッチによるものであっても、音声での指令によるものであっても、結合または解放が対応する指令によって両方のブーツで同時に行われるようにプログラミングならびに受信機を切り換える送信機を含むオプションを含ませることができることに留意することが重要である。また、制御デバイスは、スポーツをする人の衣服内に配置する代わりに、バックパック、眼鏡（ｇｌａｓｓｅｓ）、ベルトまたはウエスト・ポーチ、手袋などに組み込むことも可能である点に留意されたい。
【００２８】
図４は、ブーツの内部の様子を概略的に示し、ブーツの表面に組み込まれる電磁石の可能な固定方法が示されている（５，５）。電磁石の数およびそれらによって形成される幾何学的形状（直線形、三角形、四辺形、等）は、スポーツをする人の体重および経験の度合いとの関連において決定される。
【００２９】
図５は、テーブル（ｔａｂｌｅ）（２２）の平面図と斜視図を示し、上方テーブル（１６）の表面全体を覆う強磁性体が判るように示されている。
【００３０】
図６は、一方はスキー（２５）の平面図であり他方は斜視図であり、スキー（２６）の上方部の表面全体を覆う強磁性体が判るように示されている。
【００３１】
本発明の実施形態の特質を十分に上記し、また３つの好ましい形態を具現化したので、本発明の本質を変えることなく、説明的で制限されない様式で前述したものにしたがって、前述の解決策に多くの詳細な変更を加えることが可能であることを指摘しておきたい。
【図面の簡単な説明】
【００３２】
【図１】本発明の第１の好ましい実施形態を装備したスポーツをする人を概略的に示す図であり、本システムの様々な要素のいくつかの可能な配置点を例示する。
【図１−Ａ】図１に示された態様に対応する装置を備えるブーツの一方を概略的に示す図である。
【図２】本発明の第２の好ましい実施形態を装備したスポーツをする人を概略的に示す図であり、本システムの様々なデバイスの可能な配置点を例示する。
【図２−Ａ】図２および３に示された態様に対応する装置を備えるブーツの一方を概略的に示す図である。
【図３】本発明の第３の好ましい実施形態を装備したスポーツをする人を概略的に示す図であり、本システムの様々な要素のいくつかの可能な配置点を例示する。
【図４】ブーツの下側を概略的に示す図であり、靴底の電磁石、または組み込まれた電磁吸引体の可能な配置を示す。
【図５】ボードの平面図である。
【図６】スキーの平面図である。
【図１】
2007530112.tif 000003
【図１−Ａ】
2007530112.tif 000004
【図２】
2007530112.tif 000005
【図２−Ａ】
2007530112.tif 000006
【図３】
2007530112.tif 000007
【図４】
2007530112.tif 000008
【図５】
2007530112.tif 000009
【図６】
2007530112.tif 000010
【国際調査報告】
2007530112.tif 000011
2007530112.tif 000012
2007530112.tif 000013
2007530112.tif 000014